(57)【要約】【課題】高密度化されるプラグの接続部であっても、プラグの情報確認を確実にしつつ抜き差しも容易に行えるようにしたプラグ抜差工具を提供する。【解決手段】一対の保持部４，４の先端にそれぞれ形成される一対のアンテナ部５，５を備え、一対の握持部３，３を握って一対のアンテナ部５，５によりプラグを挟持するときに一対のアンテナ部５，５はプラグとほぼ同じ間隔であって略平行に対向しつつ挟持し、かつ一対のアンテナ部５，５のうちの一方がプラグ内のＩＣタグと電磁結合して情報の読み書きを行うプラグ抜差工具とした。【選択図】図１
0003143720.tif 000002
【実用新案登録請求の範囲】
【請求項１】
光ファイバ用コネクタに結合されるＩＣタグ内蔵型のプラグを抜き差しするプラグ抜差工具であって、
レバー支軸を中心として略Ｘ字状で交差するように枢支された一対のレバー部材と、
レバー支軸を基準として一方の側の一対のレバー部材にそれぞれ設けられる一対の握持部と、
レバー支軸を基準として他方の側の一対のレバー部材にそれぞれ設けられる一対の保持部と、
一対の保持部先端にそれぞれ形成される一対のアンテナ部と、
を備え、一対の握持部を握って一対のアンテナ部によりプラグを挟持するときに一対のアンテナ部はプラグとほぼ同じ間隔であって略平行に対向した状態でプラグを挟持し、かつアンテナ部がＩＣタグと電磁結合して情報の読み書きを行うことを特徴とするプラグ抜差工具。
【請求項２】
光ファイバ用コネクタに結合されるＩＣタグ内蔵型のプラグを抜き差しするプラグ抜差工具であって、
レバー支軸を中心として略Ｘ字状で交差するように枢支された一対のレバー部材と、
レバー支軸を基準として一方の側の一対のレバー部材にそれぞれ設けられる一対の握持部と、
レバー支軸を基準として他方の側の一対のレバー部材にそれぞれ設けられる一対の保持部と、
一方の保持部先端に形成されるアンテナ部と、
他方の保持部先端に形成される先端部と、
を備え、一対の握持部を握ってアンテナ部と先端部とによりプラグを挟持するときにアンテナ部と先端部とはプラグとほぼ同じ間隔であって略平行に対向した状態でプラグを挟持し、かつアンテナ部がＩＣタグと電磁結合して情報の読み書きを行うことを特徴とするプラグ抜差工具。
【請求項３】
請求項１または請求項２に記載のプラグ抜差工具において、
前記アンテナ部は、合成樹脂内にアンテナが埋設されて形成されることを特徴とするプラグ抜差工具。
【請求項４】
請求項１〜請求項３の何れか一項に記載のプラグ抜差工具において、
前記一対の保持部は、前記一対のレバー部材から取り外し可能になされ、
前記アンテナ部を有する保持部に代えて先端部を有する保持部を取り付けることで、一対の保持部の両側を先端部とすることを特徴とするプラグ抜差工具。
【考案の詳細な説明】
【技術分野】
【０００１】
本考案は、光ファイバ用コネクタに結合されるＩＣタグ内蔵型のプラグを抜き差しするプラグ抜差工具に関する。
【背景技術】
【０００２】
光ファイバの配線や管理を行う従来技術として、例えば、特開２００５−２０４４１２号公報（発明の名称：配線管理システム）が開示されている。この従来技術の配線管理システムでは、配線接続治具によりＲＦＩＤタグを挟み、配線接続治具が内蔵するアンテナを介して情報を読み書きして管理するというものである。
【考案の開示】
【考案が解決しようとする課題】
【０００３】
特開２００５−２０４４１２号公報に記載の配線管理システムは、その図１，図２でも示すように、トレー単位で管理するというものであり、大型な配線システムの用途にのみ限定されるというものであった。配線管理としては個々の光ファイバ用コネクタやプラグ毎にできるようにして、大型や小型に限らず全ての配線システムに適用可能にしたいという要請があった。
【０００４】
また、多数のプラグの接続部は、近年の高密度化によりプラグ間の間隔が狭まって手指が入るような余裕のある空間ではなくなってきており、光ファイバ用コネクタに対するプラグの抜き差しが容易でないという問題があった。
【０００５】
そして、多数のプラグの接続部では間隔の狭小化に起因してプラグについての情報が表示がしにくくなって、プラグの判別がつきにくいという問題もあった。例えば、光ファイバ用コネクタやプラグには取付紐により丸札が取り付けられ、この丸札に所定の情報を書き込んでいたが、取付紐が絡まる、丸札が他のプラグやコードに引っ掛かるなどの理由により、丸札を取り出して確認するまで時間を要するものであった。
【０００６】
また、丸札に書き込める情報量は少なく、文字も見づらく、情報の確認が容易でないという問題もあった。また、記入した文字が経年変化により消滅し、情報が確認できないこともあった。
さらに、改訂時の記入ミスなど情報が誤っているときに他のプラグを抜いてしまうという問題もあった。
【０００７】
そこで、本考案は上記の課題を解決するためになされたものであり、その目的は、高密度化されるプラグの接続部であっても、ＩＣタグ内蔵型のプラグを用いてプラグの情報確認を確実にするとともに、プラグの抜き差しも容易に行えるようにしたプラグ抜差工具を提供することにある。
【課題を解決するための手段】
【０００８】
本考案の請求項１に係るプラグ抜差工具は、
光ファイバ用コネクタに結合されるＩＣタグ内蔵型のプラグを抜き差しするプラグ抜差工具であって、
レバー支軸を中心として略Ｘ字状で交差するように枢支された一対のレバー部材と、
レバー支軸を基準として一方の側の一対のレバー部材にそれぞれ設けられる一対の握持部と、
レバー支軸を基準として他方の側の一対のレバー部材にそれぞれ設けられる一対の保持部と、
一対の保持部先端にそれぞれ形成される一対のアンテナ部と、
を備え、一対の握持部を握って一対のアンテナ部によりプラグを挟持するときに一対のアンテナ部はプラグとほぼ同じ間隔であって略平行に対向した状態でプラグを挟持し、かつアンテナ部がＩＣタグと電磁結合して情報の読み書きを行うことを特徴とする。
【０００９】
また、本考案の請求項２に係るプラグ抜差工具は、
光ファイバ用コネクタに結合されるＩＣタグ内蔵型のプラグを抜き差しするプラグ抜差工具であって、
レバー支軸を中心として略Ｘ字状で交差するように枢支された一対のレバー部材と、
レバー支軸を基準として一方の側の一対のレバー部材にそれぞれ設けられる一対の握持部と、
レバー支軸を基準として他方の側の一対のレバー部材にそれぞれ設けられる一対の保持部と、
一方の保持部先端に形成されるアンテナ部と、
他方の保持部先端に形成される先端部と、
を備え、一対の握持部を握ってアンテナ部と先端部とによりプラグを挟持するときにアンテナ部と先端部とはプラグとほぼ同じ間隔であって略平行に対向した状態でプラグを挟持し、かつアンテナ部がＩＣタグと電磁結合して情報の読み書きを行うことを特徴とする。
【００１０】
また、本考案の請求項３に係るプラグ抜差工具は、
請求項１または請求項２に記載のプラグ抜差工具において、
前記アンテナ部は、合成樹脂内にアンテナが埋設されて形成されることを特徴とする。
【００１１】
また、本考案の請求項４に係るプラグ抜差工具は、
請求項１〜請求項３の何れか一項に記載のプラグ抜差工具において、
前記一対の保持部は、前記一対のレバー部材から取り外し可能になされ、
前記アンテナ部を有する保持部に代えて先端部を有する保持部を取り付けることで、一対の保持部の両側を先端部とすることを特徴とする。
【考案の効果】
【００１２】
以上のような本考案によれば、高密度化されるプラグの接続部であっても、ＩＣタグ内蔵型のプラグを用いてプラグの情報確認を確実にするとともに、プラグの抜き差しも容易に行えるようにしたプラグ抜差工具を提供することができる。
【考案を実施するための最良の形態】
【００１３】
続いて、本考案を実施するための最良の形態について図に基づき以下に説明する。図１は本形態のプラグ抜差工具の全体構成図である。図２は本形態のプラグ抜差工具のＡ−Ａ線断面図である。図３は接続部の説明図である。図４は本形態のプラグ抜差工具が開いた状態を説明する説明図である。図５は本形態のプラグ抜差工具がプラグを保持した状態を説明する説明図である。
プラグ抜差工具１０は、図１で示すように、一対のレバー部材１，１、レバー支軸２、一対の握持部３，３、一対の保持部４，４、一対のアンテナ部５，５、アンテナ線６，６を備える。
【００１４】
レバー部材１は、握持側部材１ａと、保持側部材１ｂと、からなる緩やかなＳ字状に湾曲した部材である。材質は例えばステンレス等の金属である。
そして一対のレバー部材１，１はレバー支軸２を中心として略Ｘ字状で交差するように枢支される。これにより、ペンチ・プライヤーの如く開閉自在となる。閉じた状態は図１や図５、開いた状態は図４で示すようになる。
【００１５】
一対の握持部３，３は、レバー支軸２を基準として一方の側にある、レバー部材１，１の握持側部材１ａ，１ａにそれぞれ設けられる。この握持部３はゴム等のカバーによるグリップであり、握持側部材１ａを覆う。
【００１６】
一対の保持部４，４は、レバー支軸２を基準として他方の側にある、レバー部材１，１の指圧側部材１ｂ，１ｂに、アタッチメント方式により着脱可能に固定されている。固定は、例えば、ねじ留めなど適宜な機械構造を採用することができる。
【００１７】
アンテナ部５，５は、図２のＡ−Ａ線断面図（Ａ−Ａ線は図５参照）で示すようにカバー５ａ、合成樹脂５ｂ、アンテナ５ｃを備える。
アンテナ部５のアンテナ５ｃは合成樹脂５ｂにより周囲が覆われ、さらにこの合成樹脂５ｂはカバー５ａにより覆われた状態で硬化されて一体に構成されている。カバー５ａは保持部４に当接して機械的に支持されている。これにより、アンテナ５ｃは外部の力に対して保護されている。このようなアンテナ部５が上下で対をなしている。なお、カバー５ａには中央に孔も形成されて金属等のカバー５ａによりアンテナ５ｃが完全に遮蔽されないようにしている。
上記の保持部４とアンテナ部５とは一体に構成されることで、取り替えを容易にする。
【００１８】
アンテナ線６，６はアンテナ部５，５にそれぞれ接続されている。アンテナ部５，５に接続されるアンテナ線６，６は、合成樹脂５ｂ内を経て外界へ引き出される。アンテナ線６，６は、後述するが情報端末器（図示せず）に接続される。なお、アンテナ線６，６は図１のような引き出し方向に限定するものではなく、都合の良い各種の方向へ引き出すことができる。本形態のプラグ抜差工具１０はこのような構成を有している。
【００１９】
続いて本形態のプラグ抜差工具１０の使用について説明する。まず、プラグ抜差工具１０が扱うプラグは接続部の一部である。接続部２０は、図３で示すように、光ファイバ用コネクタ２１、ＩＣタグ付き補助プラグ２２、プラグ２３、光ファイバコード２４を備える。光ファイバ用コネクタ２１とプラグ２３との間にＩＣタグ付き補助プラグ２２を介在させてＩＣタグを利用可能とするものである。このＩＣタグは、例えばＲＦＩＤ（Radio Frequency-Identification：電波方式認識)方式を採用している。
【００２０】
工具使用者は、図１で示す握持部３に手指を掛けて握り、このプラグ抜差工具１０を適宜開閉することとなる。開いた状態は図４、閉じた状態は図５で示すようになる。そして、図４で示すように開いた状態でアンテナ部５，５がＩＣタグ付き補助プラグ２２の上下に位置する箇所までプラグ抜差工具１０を移動させて、その後に図２，図５で示すように、アンテナ部５，５でＩＣタグ付き補助プラグ２２を挟み、握持部３，３を介して適宜力を加えるように操作してＩＣタグ付き補助プラグ２２を保持することとなる。
【００２１】
この場合に、一対のアンテナ部５，５はＩＣタグ付き補助プラグ２２とほぼ同じ間隔であって略平行に対向するため、アンテナ部５，５の全面がＩＣタグ付き補助プラグ２２に接するような状態で挟持するため、アンテナ部５，５に力が偏ることなく保持できる。図２に示されるように、アンテナ部５のアンテナ５ｃと、ＩＣタグ付き補助プラグ２２のＩＣタグ２２ａとは、直近の上下位置にあるため、アンテナ５ｃとＩＣタグ２２ａとで電磁結合がなされて無線通信が行われる。ＩＣタグ２２ａには、例えばルート・工事履歴等の必要な情報がデジタルデータとして記録されており、ＩＣタグ２２ａから情報を読み出して情報端末器に表示させれば、必要な情報を確実に得ることができる。そして、このＩＣタグ付き補助プラグ２２やプラグ２３が取り外しの対象であることが判明すれば、そのままプラグ抜差工具１０でＩＣタグ付き補助プラグ２２を保持しつつ引き抜けば良く、情報確認・抜き取り作業を連続させることができ、利便性を高めている。
【００２２】
同様に書き込み時でもプラグ抜差工具１０のアンテナ部５，５によりＩＣタグ付き補助プラグ２２を上下で挟持した状態で情報端末器に書き込みを行えば、ＩＣタグ２２ａに必要な情報を確実に登録することができる。
【００２３】
なお、本形態ではアンテナ部は両側にあるが、これは、プラグ抜差工具１０やＩＣタグ付き補助プラグ２２が上下反対であってもアンテナ部５，５のどちらかがＩＣタグ２２ａに対向して電磁結合するため、電磁結合しないという状況が発生しないように配慮したものとなっている。また、万が一上下のアンテナ部５，５が共にＩＣタグ２２ａと電磁結合しても情報端末器（図示せず）が一方のみ選択して読み書きを行うようにすれば良く、読み書きに問題を生じることはない。
【００２４】
以上本形態のプラグ抜差工具１０について図を参照しつつ説明した。このような本形態のプラグ抜差工具によれば、多数の光ファイバ用コネクタ２１が密集して接続されていた場合でも、ＩＣタグからＲＦＩＤ方式にて情報を読み書きでき、また、抜き取り対象のＩＣタグ付き補助プラグ２２やプラグ２３であれば、そのままＩＣタグ付き補助プラグ２２を引き抜けば良く、工具一本で一連の作業が可能となり、利便性を高めている。
【００２５】
続いて、他の形態のプラグ抜差工具について図を参照しつつ説明する。図６は他の形態のプラグ抜差工具がプラグを保持した状態を説明する説明図である。図７は他の形態のプラグ抜差工具のＢ−Ｂ線断面図である。
図１〜図５を用いて説明した先の形態では一対のアンテナ部５，５を採用していたが、本形態では一のアンテナ部５に代えて先端部７を配置して、一方をアンテナ部５とし、また、他方を先端部７とした点が相違する以外は先の形態と同じであり、同じ符号を付した構成は先の説明と同じであるとして重複する説明を省略し、相違点（先端部７）のみ重点的に説明する。
【００２６】
先端部７は図７に示すようにアンテナがない先端であり、保持部４と一体に構成されている。一対の握持部３を握ってアンテナ部５と先端部７とによりＩＣタグ付き補助プラグ２２を挟持するときにアンテナ部５と先端部７とはＩＣタグ付き補助プラグ２２とほぼ同じ間隔であって略平行に対向しつつ挟持し、かつアンテナ部５のアンテナ５ｃがＩＣタグ２２ａと電磁結合して情報の読み書きを行うプラグ抜差工具としている。
このようなプラグ抜差工具は、アンテナが一個であるため低コスト型としている。なお、アンテナとＩＣタグを確実に対向させるため、プラグ抜差工具の位置を注意してＩＣタグ付き補助プラグ２２を挟持することが重要であるが、このような構成としても本考案の効果を奏しうるというものである。
【００２７】
続いて、他の形態のプラグ抜差工具について図を参照しつつ説明する。図８は他の形態のプラグ抜差工具がプラグを保持した状態を説明する説明図である。図９は他の形態のプラグ抜差工具のＣ−Ｃ線断面図である。
図１〜図５を用いて説明した先の形態では一対のアンテナ部５，５を採用していたが、本形態では一対のアンテナ部５，５に代えて共に一対の先端部７，７を配置した点が相違する以外は先の形態と同じであり、同じ符号を付した構成は先の説明と同じであるとして重複する説明を省略し、相違点（先端部７）のみ重点的に説明する。
【００２８】
一対の先端部７，７は図９に示すようにアンテナがない先端であり、保持部４と一体に構成されている。このような一対の先端部７，７は例えばＩＣタグ付き補助プラグ２２やプラグ２３の抜き差しを行うことができる。一対の握持部３，３を握って一対の先端部７，７によりプラグ２３を挟持するときに一対の先端部７，７はプラグ２３（またはＩＣタグ付き補助プラグ２２でも良い）とほぼ同じ間隔であって略平行に対向しつつ挟持するプラグ抜差工具としている。このようなプラグ抜差工具は、いわば通常のプライヤー・ペンチのような構造にしたものである。先に説明した二形態のプラグ抜差工具を、接続部の各種部品の引き抜き可能なプライヤーのようにして用いることもできる。
【００２９】
以上、本考案のプラグ抜差工具１０について説明した。なお、プラグ抜差工具１０は図２，図５に示すようにＩＣタグ付き補助プラグ２２を挟む一対のアンテナ部５，５は、カバー５ａにより合成樹脂５ｂが覆われた状態で硬化されているものとして説明した。しかしながら、カバーを取り去って十分に硬い合成樹脂単体で全体を覆うような構成を採用しても良い。また、カバー５ａにおけるプラグ２３（またはＩＣタグ付き補助プラグ２２）との接触面上に三角波状の凹凸による滑り止めを形成しても良い。
【００３０】
また、本形態では光ファイバ用コネクタ２１とプラグ２３との間にＲＦＩＤ方式のＩＣタグ付き補助プラグ２２を介在させてＩＣタグを利用可能とする構成について説明した。しかしながら、このＩＣタグは、ＲＦＩＤ方式に限定するものでなく非接触方式のＩＣ読み書き方式を適宜採用することができる。
また、ＩＣタグ付き補助プラグ２２をなくし、光ファイバ用コネクタ２１やプラグ２３に直接ＩＣタグを配置するようにしても良い。またＩＣタグはプラグに直接設けるのではなく、プラグの周囲を覆うキャップに配置するようにしても良い。
これらのような場合でも本考案のプラグ抜差工具１０は、本考案が掲げる効果を奏しうるものである。
【図面の簡単な説明】
【００３１】
【図１】本考案を実施するための最良の形態のプラグ抜差工具の全体構成図である。
【図２】本考案を実施するための最良の形態のプラグ抜差工具のＡ−Ａ線断面図である。
【図３】接続部の説明図である。
【図４】本考案を実施するための最良の形態のプラグ抜差工具が開いた状態を説明する説明図である。
【図５】本考案を実施するための最良の形態のプラグ抜差工具がプラグを保持した状態を説明する説明図である。
【図６】他の形態のプラグ抜差工具がプラグを保持した状態を説明する説明図である。
【図７】他の形態のプラグ抜差工具のＢ−Ｂ線断面図である。
【図８】他の形態のプラグ抜差工具がプラグを保持した状態を説明する説明図である。
【図９】他の形態のプラグ抜差工具のＣ−Ｃ線断面図である。
【符号の説明】
【００３２】
１０：プラグ抜差工具
１：レバー部材
１ａ：握持側部材
１ｂ：保持側部材
２：レバー支軸
３：握持部
４：保持部
５：アンテナ部
５ａ：カバー
５ｂ：合成樹脂
５ｃ：アンテナ
６：アンテナ線
７：先端部
２０：接続部
２１：光ファイバ用コネクタ
２２：ＩＣタグ付き補助プラグ
２２ａ：ＩＣタグ
２２ｂ：補助プラグ本体
２３：プラグ
２４：光ファイバコード
【図１】
0003143720.tif 000003
【図２】
0003143720.tif 000004
【図３】
0003143720.tif 000005
【図４】
0003143720.tif 000006
【図５】
0003143720.tif 000007
【図６】
0003143720.tif 000008
【図７】
0003143720.tif 000009
【図８】
0003143720.tif 000010
【図９】
0003143720.tif 000011